(57)【要約】【課題】従来のデザインではヘッドフォンの色を変えたり形状を変えたり、材質を変えたり、保持方法を変えたりすることが行われているが、何れの方法も画期的な意匠の変革となるものではなかったので、ヘッドフォンの意匠を画期的に変革する構成を提案して、個性的なヘッドフォンを提供すること。【解決手段】本発明にかかるヘッドフォンは、小型スピーカが内蔵された筐体の外側には、グラフィックディスプレイ部が配設されていることを特徴とし、前記グラフィックディスプレイ部は、ドットマトリクス構成によってグラフィック画像を表示するように構成されている。【選択図】　　　　　　図１
2004023712.tif 000002
【特許請求の範囲】
【請求項１】
装着する頭部側に向けて小型スピーカが配設された筐体を、前記頭部に保持するように構成されたヘッドフォンにおいて、
前記筐体の外側には、グラフィックディスプレイ部が配設されていることを特徴とするヘッドフォン。
【請求項２】
前記グラフィックディスプレイ部は、ドットマトリクス構成によってグラフィック画像を表示するように構成されていることを特徴とする請求項１に記載のヘッドフォン。
【発明の詳細な説明】
【０００１】
【発明の属する技術分野】
本発明は、頭部に装着して、小型スピーカが耳位置にくるように保持して使用するヘッドフォンに関するものである。
【０００２】
【従来の技術】
従来より、小型スピーカが、装着する頭部側に向けて配設された筐体を、前記装着する頭部の耳位置に保持するように構成されたヘッドフォンが種々使用されている。
これらのヘッドフォンを使用して音楽等を聴く場合には、小型スピーカが耳の位置にくるように保持して使用する。
このようなヘッドフォンの意匠的な差別化を図るために種々のデザインが提案されている。
【０００３】
【発明が解決しようとする課題】
ところが、従来のデザインではヘッドフォンの色を変えたり形状を変えたり、材質を変えたり、保持方法を変えたりすることが行われているが、何れの方法も画期的な意匠の変革となるものではなかった。
【０００４】
そこで、本発明は、ヘッドフォンの意匠を画期的に変革する構成を提案して、個性的なヘッドフォンを提供するものである。
【０００５】
【課題を解決するための手段】
本発明にかかるヘッドフォンは、装着する頭部側に向けて小型スピーカが配設された筐体を、前記頭部に保持するように構成されたヘッドフォンにおいて、前記筐体の外側には、グラフィックディスプレイ部が配設されていることを特徴としている。
請求項２では、前記グラフィックディスプレイ部は、ドットマトリクス構成によってグラフィック画像を表示するように構成されていることを特徴としている。
【０００６】
以上の構成によれば、ヘッドフォンの筐体の外側には、グラフィックディスプレイ部が配設されているので、この部分に種々の画像を表示させることができる。このグラフィックディスプレイ部には、制御手段も内蔵している。
請求項２では、前記グラフィックディスプレイ部は、ドットマトリクス構成によってグラフィック画像を表示するように構成されているので、種々の画像をドットマトリックス画像として表示することができる。
【０００７】
【発明の実施の形態】
以下に、本発明にかかるヘッドフォンを、その実施の形態を示した図面に基づいて詳細に説明する。
【０００８】
図１は、本発明に係るヘッドフォンの斜視図である。
ヘッドフォン１は、左右両方の耳あて部１Ｒ、１Ｌと、頭部に保持するためのアーム部１２と、コード１３とを備えている。
そして、両耳あて部１Ｒ、１Ｌの内側（耳に当たる側）には、それぞれ小型スピーカ１ＲＳ、１ＬＳが配設されている。
【０００９】
さらに、両耳あて部１Ｒ、１Ｌの外側（耳に当たる内側と反対側）には、それぞれグラフィックディスプレイ部ＤＲ、ＤＬが配設されている。これらのグラフィックディスプレイ部ＤＲ、ＤＬはバックライト付きカラー液晶表示ユニット、有機ＥＬ表示ユニット、プラズマディスプレイユニット、もしくは複数の発光ダイオードによる表示ユニットを用いて構成されている。そして、グラフィックディスプレイ部を制御する制御手段が両耳あて部１Ｒ、１Ｌに内蔵されている。
【００１０】
前記グラフィックディスプレイ部への表示データは、両耳あて部１Ｒ、１Ｌに予め記憶させておいたパターンを繰り返し表示してもよいが、前記コード１３を用いて図示しない携帯型音楽再生装置等から供給しても良い。
【００１１】
このようにして、グラフィックディスプレイ部１Ｒ、１Ｌに種々のパターンを表示させながら、当該ヘッドフォンを頭部に装着して使用すると、単なるヘッドフォンでなく装飾品としての機能を備えたものとなる。
また、ヘッドフォンとしては使用せずに、首に掛けたり吊り下げたりして、グラフィックディスプレイ部による表示機能のみを使用して、主に装飾品として使用することも可能である。
【００１２】
図２は、別の実施形態のヘッドフォンの左右何れか一方の耳あて部の側面図である。
図２のヘッドフォン２は、耳あて部２１の外側（耳に当たる内側と反対側）に例えば３７個程度の多数の発光ダイオードＬＥＤを配列させたグラフィックディスプレイ部２２を構成したものである。これらの発光ダイオードＬＥＤを選択的に点滅させることによって、種々のパターンをドットマトリクス構成によってグラフィック表示することができる。ＲＧＢ３色の発光ダイオードを用いることによってカラー表示を実現することができる。
【００１３】
このヘッドフォン２は、音楽を聴くときには、耳かけ２３を耳朶に掛けて使用する。そして音楽を聴きながら前記グラフィックディスプレイ部２２にて種々のパターンを表示させることによって、ランダムもしくは順次変化する画像が表示される装飾品として使用することができる。
また、音楽を聴かずに、グラフィックディスプレイ部２２によるグラフィック表示機能だけを利用することも可能である。
音楽を聴かない場合には、左右の耳あて部をクリップやベルト等で結合させてアクセサリーとして使用することができる。（図３参照）
耳に掛ける以外に、首から吊り下げたり、室内や車内に吊り下げておくこともできる。
【００１４】
前記グラフィックディスプレイ部２２の制御は、ヘッドフォンに内蔵する制御装置に書き込まれた表示プログラムによって行われる。この表示プログラムは、所定のパターンを順次繰り返したり、ランダムパターンを表示したり、環境に応じて変化するパターンを表示する機能を実現するとよい。
なお、ディスプレイ部の形状は、方形に限らず円形、楕円形、多角形等種々の形状が可能である。
【００１５】
【発明の効果】
本発明のヘッドフォンは、外側にグラフィックディスプレイ機能を備えているので、通常のヘッドフォンとしての機能に加えて、アクセサリー的な装飾品として使用することができるという効果が得られる。
しかも、前記グラフィックディスプレイ機能によって表示されるパターンは種々変化するものであるので、従来のヘッドフォンには全く見られない画期的な意匠となる。
【図面の簡単な説明】
【図１】本発明にかかるヘッドフォンの実施の形態の斜視図である。
【図２】別の実施形態のヘッドフォンの側面図である。
【図３】左右の耳あて部を結合する場合を説明する説明図である。
【符号の説明】
１、２　　ヘッドフォン
１Ｒ、１Ｌ　耳あて部
ＤＲ、ＤＬ　ディスプレイ部
２２　　　　グラフィックディスプレイ部
ＬＥＤ　　　発光ダイオード
【図１】
2004023712.tif 000003
【図２】
2004023712.tif 000004
【図３】
2004023712.tif 000005